(57)【要約】      （修正有）【課題】コンパクト蛍光ランプとの互換性を保ちながら、より寿命が長いランプを提供する。【解決手段】断面半筒状の基体１と、この基体に被蓋される断面半筒状のインバータカバー３０および断面半筒状のランプカバー２０により構成されるランプ本体と、該ランプ本体内に収容される複数本の冷陰極蛍光管Ｌ１、Ｌ２およびインバータ装置Ｂと、ランプ本体の一端に片口金式のコンパクト蛍光ランプとの互換性を持たせるように形成される口金と、該口金から突設されるランプピン１８からなり、冷陰極蛍光管をＵ字形状に構成し、冷陰極蛍光管のＵ字の内側の空間をそれより幅狭のＵ字形状の冷陰極蛍光管を収容する空間として利用することにより幅広、幅狭の冷陰極蛍光管を収容する手段とし、基体内側及びランプカバー内側に嵌め込んだ弾性素材からなる線状体を介して上記冷陰極蛍光管を基体とランプカバー間に挟み込むことにより冷陰極蛍光管の固定手段とする。【選択図】図１
0003166194.tif 000002
【実用新案登録請求の範囲】
【請求項１】
断面半筒状の基体と、この基体に被蓋される断面半筒状のインバータカバーおよび断面半筒状のランプカバーにより構成されるランプ本体と、ランプ本体内に収容される複数本の冷陰極蛍光管およびインバータ装置と、ランプ本体の一端に片口金式のコンパクト蛍光ランプとの互換性を持たせるように形成される口金と、上記口金から突設されるランプピンからなり、上記口金をランプソケットに挿入することにより導通すべき上記ランプピンを介してインバータ装置と冷陰極蛍光管からなる点灯回路に電力を供給するランプにおいて、冷陰極蛍光管をＵ字形状に構成し、冷陰極蛍光管のＵ字の内側の空間をそれより幅狭のＵ字形状の冷陰極蛍光管を収容する空間として利用することにより幅広、幅狭の冷陰極蛍光管を収容する手段とすると共に、基体内側及びランプカバー内側の双方に嵌め込んだ弾性素材からなる線状体を介して上記の冷陰極蛍光管を基体とランプカバー間に挟み込むことにより冷陰極蛍光管の固定手段としたことを特徴とする冷陰極蛍光ランプ。
【請求項２】
弾性素材からなる線状体は断面円形のシリコンゴム製の紐体である請求項１記載の冷陰極蛍光ランプ。
【請求項３】
ランプカバーは透明または半透明である請求項１または２に記載の冷陰極蛍光ランプ。
【考案の詳細な説明】
【技術分野】
【０００１】
本願考案は冷陰極蛍光管を内蔵したランプに関し、より詳細には従来のコンパクト蛍光ランプと同等のサイズおよび取り付けの互換性を保ちながら、より寿命が長く、輝度が高いランプに関する。
【背景技術】
【０００２】
直線状の蛍光管の両端に口金を設けた直管型蛍光管に代わり、蛍光管をＵ字形状に屈曲し口金を片側にまとめたコンパクト蛍光ランプが広く使用されている（特許文献１）。蛍光管をＵ字形状に屈曲した上記コンパクト蛍光ランプは直管型蛍光管と比べてランプ全長が短くなるので、それを収容する照明器具も小型化でき、一方、輝度も高いという長所を有する。
【０００３】
前記のコンパクト蛍光ランプは、照明器具を小型化できるという特徴から、今まで照明器具に阻まれて設置場所の自由度が制約されていた天井面のエアコンの吹き出し口、放送用のスピーカー、スプリンクラーなどの天井取り付き機器の設置の自由度を高めることが可能となり、オフィス施設における需要が期待できた。
【０００４】
また、小型でありながら高輝度を実現するので、商業施設用の照明や、暗いところでの視力が弱っている老齢世帯における需要も期待できた。
【先行技術文献】
【特許文献】
【０００５】
【特許文献１】特開平８−１７３３５号公報
【特許文献２】特開平１−１６１６８６公報
【考案の概要】
【考案が解決しようとする課題】
【０００６】
しかしながら、従来技術のコンパクト蛍光ランプは発熱が大きく８０００時間程度で寿命が尽きてしまい、加えて経年による照度低下が大きいので、実質の寿命は６０００時間程度しかないという問題があった。
【０００７】
その結果、大量導入したオフィス施設においてはランプの頻繁な交換作業が必要となりオフィス業務の支障になる問題が生じ、高所や物や建造物の陰などの目立たない箇所への設置例が多い商業施設では頻繁な交換作業がコスト上の負担となる問題を生じ、自分では交換が難しい老齢世帯では他人に交換してもらう関係上、交換まで照明が無い状態を強いられる問題があった。
【課題を解決するための手段】
【０００８】
本願考案は、以上の問題点を解決した冷陰極蛍光ランプを提供することを目的として創作されたものである。すなわち、この考案の冷陰極蛍光ランプは断面半筒状の基体と、この基体に被蓋される断面半筒状のインバータカバーおよび断面半筒状のランプカバーにより構成されるランプ本体と、ランプ本体内に収容される複数本の冷陰極蛍光管およびインバータ装置と、ランプ本体の一端に片口金式のコンパクト蛍光ランプとの互換性を持たせるように形成される口金と、上記口金から突設されるランプピンからなり、上記口金をランプソケットに挿入することにより導通すべき上記ランプピンを介してインバータ装置と冷陰極蛍光管からなる点灯回路に電力を供給するランプにおいて、冷陰極蛍光管をＵ字形状に構成し、冷陰極蛍光管のＵ字の内側の空間をそれより幅狭のＵ字形状の冷陰極蛍光管を収容する空間として利用することにより幅広、幅狭の冷陰極蛍光管を収容する手段とすると共に、基体内側及びランプカバー内側の双方に嵌め込んだ弾性素材からなる線状体を介して上記の冷陰極蛍光管を基体とランプカバー間に挟み込むことにより冷陰極蛍光管の固定手段としたことを特徴とする。
【考案の効果】
【０００９】
冷陰極蛍光管は電極にフィラメントを有しないので、非常に管径が細いものが可能となるという特長を有する。また、点滅点灯に強いために寿命も長く、さらに、構造や点灯回路の構成が比較的簡単なので低コストで済むという特長を有する。
【００１０】
この考案の冷陰極蛍光ランプは前記の特性に着目して創作されたものであり、非常に管径が細いものが可能となるという特長を生かして、冷陰極蛍光管をＵ字形状に構成し、冷陰極蛍光管のＵ字の内側の空間をそれより幅狭のＵ字形状の冷陰極蛍光管を収容する空間として利用することにより複数本の冷陰極蛍光管を従来技術のコンパクト蛍光ランプと同等の寸法範囲に実装することを可能としている。加えて、口金およびランプピンの寸法および形状に関し片口金式のコンパクト蛍光ランプとの互換性を持たせることにより、既設のコンパクト蛍光ランプ用の照明器具に同等のサイズのこの考案の冷陰極蛍光ランプを装着することを可能としている。
【００１１】
その結果、この考案の冷陰極蛍光ランプをコンパクト蛍光ランプ用に代えて装着した場合は同等以上の輝度を確保した上で、ランプ寿命が約３００００〜５００００時間と飛躍的に増大することとなるので、ランプ交換の周期が従来技術のコンパクト蛍光ランプに比べ５倍以上となる。よって、オフィス施設においてはランプの頻繁な交換作業が不要となりオフィス業務の支障とならず、高所や物や建造物の陰などの目立たない箇所への設置例が多い商業施設ではコスト上の負担が軽減され、自分では交換が難しく他人に交換してもらわざるを得ない老齢世帯では交換まで照明が無い状態の頻度が少なくなる効果が奏される。
【００１２】
しかしながら、冷陰極蛍光管は極めて径が細く（この考案の冷陰極蛍光ランプは管径が５ｍｍのものを想定している。）、加えてＵ字形状のものを外側と内側に配して、ランプ本体内に収容・固定しなければならず、これを迅速かつ正確に行なうことは困難であり、時に蛍光管の破損を引き起こすおそれもある。この考案の冷陰極蛍光ランプにおいては、基体内側及びランプカバー内側の双方に嵌め込んだ弾性素材からなる線状体を介して冷陰極蛍光管を基体とランプカバー間に挟み込むことにより冷陰極蛍光管の固定手段としたので、前記作業を飛躍的に簡素化できる効果を生じる。また、弾性素材からなる線状体を介して固定することにより、外力により冷陰極蛍光ランプが振動した場合でも冷陰極蛍光管への緩衝作用が期待でき、その破損が防止される効果も生じる。
【図面の簡単な説明】
【００１３】
【図１】この考案の冷陰極蛍光ランプの分解斜視図。
【図２】この考案の冷陰極蛍光ランプの分解斜視図。
【図３】この考案の冷陰極蛍光ランプの斜視図。
【図４】この考案の冷陰極蛍光ランプの平面図。
【図５】この考案の冷陰極蛍光ランプの基体の一部の斜視図。
【図６】この考案の冷陰極蛍光ランプの基体の一部の断面図。
【図７】この考案の冷陰極蛍光ランプの断面図。
【考案を実施するための形態】
【００１４】
以下、本願考案の具体的実施例を添付図面に基づいて説明する。図１は本願考案の冷陰極蛍光ランプの分解斜視図である。図中符号１は基体、２０はこの基体に被蓋されるランプカバー、同じく３０はインバータカバーである。これらの部材は断面半筒状に構成されることにより被蓋時に筒状のランプ本体を構成する。その結果、基体１のランプ側領域１０とランプカバー２０との間には冷陰極蛍光管を収容する空間が、基体１のインバータ側領域１５とインバータカバー３０との間にはインバータ装置を収容する空間が確保される。また、前記インバータ装置の収容空間の外側はランプソケットに挿入・係止するための口金Ｓとして機能する（図３および４参照）。口金およびランプピンの寸法および形状に関しては、片口金式のコンパクト蛍光ランプとの互換性を持たせる。なお、ランプカバー２０は透明または半透明であることは勿論である。
【００１５】
図中符号Ｌ１、Ｌ２は前記の基体１のランプ側領域１０とランプカバー２０との間の空間に収容される冷陰極蛍光管である。これらの冷陰極蛍光管はＵ字形状に折曲され、冷陰極蛍光管Ｌ１のＵ字の内側の空間をそれより幅狭のＵ字形状の冷陰極蛍光管Ｌ２を収容する空間として利用することにより幅広、幅狭の冷陰極蛍光管をＬ１、Ｌ２を同心状に収容している。なお、ここでは２本の冷陰極蛍光管を収容しているが、収容される本数は２本以上であってもよいことは勿論である。
【００１６】
前記冷陰極蛍光管Ｌ１、Ｌ２は基体１のランプ側領域１０の内側及びランプカバー２０の内側の双方に嵌め込んだ弾性素材からなる線状体Ｇを介して基体とランプカバー間に挟み込まれることによりランプ本体への固定手段とされる。図５〜７はその詳細を示す図である。図中符号１１は線状体Ｇを基体１に保持するために基体の内側に立設される保持台である。この保持台１１は長手方向に線状体Ｇを挿入するための溝１２が設けられると共に、その中途に段部１３、１３が設けられ、挿入された線状体は上記段部間において２点支持される（図５のＸ−Ｘ線断面を表した図６参照。）。なお、前記溝１２は線状体Ｇより幅狭とされることにより、弾性により変形された状態で線状体は溝に強圧保持され、組み立て時における線状体の脱落が防止されることとなる。前記保持台１１は長手方向が基体１の全長方向と直交した状態で、ランプ側領域１０の前後２箇所に左右一対づつ配され、都合４本の線状体Ｇを保持する。また、ランプカバー２０の内側にも前記保持台１１と同構造の保持台２１が保持台１１と上下対称に設けられ、同じく線状体Ｇを保持することにより、冷陰極蛍光管Ｌ１、Ｌ２は線状体を介して上下からランプカバー２０と基体のランプ側領域１０間に挟持されることとなる（図７参照）。なお、線状体Ｇはここでは断面円形のシリコンゴム製の紐体を採用しているが、これに限られないことは勿論である。
【００１７】
図中符号Ｂは前記の基体１のインバータ側領域１５とインバータカバー３０との間の空間に収容されるインバータ装置である。このインバータ装置Ｂは口金Ｓの底板１６に突設される複数本のランプピン１８と冷陰極蛍光管Ｌ１、Ｌ２に電気的に接続される。その結果、口金Ｓをランプソケットに挿入することにより、ランプピン１８を介してインバータ装置Ｂと冷陰極蛍光管Ｌ１、Ｌ２からなる点灯回路に電力が供給されることとなる。
【００１８】
前記したように、この考案の冷陰極蛍光ランプにおいてはインバータ装置の収容空間の外側はランプソケットに挿入・係止するための口金Ｓとして機能するが、具体的に基体１の後端に口金の底部を構成する底板１６を立ち上げた状態で一体成形すると共に、口金をソケットに係止するための変形五角形の位置決め突起１７、１７を、突起をもって側壁とそれと直交する底板を連結した状態で一体成形する。また、被蓋されるインバータカバー３０の後端両側には、基体１の側壁からインバータカバー側に突出する前記位置決め突起１７、１７が嵌め込まれるための凹部３１、３１が凹設されることにより被蓋時の各部材の結合度合いを高めている。
【００１９】
前記の基体１とランプカバー２０、基体１とインバータカバー３０は被蓋した状態でネジ止めされることにより結合される。図中符号１４、２４は被蓋時の基体１とランプカバー２０との結合を確実にするために両者の端部に設けられた係合段部であり、同様の係合段部は基体１とインバータカバー２０にも施される。また、被蓋時にインバータカバー３０の前端内側がランプカバー２０の後端内側の重ね代２５に被さることにより各部材の結合度合いを高めている。なお、図中符号２６はランプカバー２０の後方に開口された放熱穴である。
【符号の説明】
【００２０】
Ｂ        インバータ装置
Ｓ        口金
Ｌ１      冷陰極蛍光ランプ
Ｌ２      冷陰極蛍光ランプ
１        基体
２０      ランプカバー
３０      インバータカバー
【図１】
0003166194.tif 000003
【図２】
0003166194.tif 000004
【図３】
0003166194.tif 000005
【図４】
0003166194.tif 000006
【図５】
0003166194.tif 000007
【図６】
0003166194.tif 000008
【図７】
0003166194.tif 000009
【手続補正書】
【提出日】平成22年12月9日(2010.12.9)
【手続補正１】
【補正対象書類名】図面
【補正対象項目名】全図
【補正方法】変更
【補正の内容】
【図１】
0003166194.tif 000010
【図２】
0003166194.tif 000011
【図３】
0003166194.tif 000012
【図４】
0003166194.tif 000013
【図５】
0003166194.tif 000014
【図６】
0003166194.tif 000015
【図７】
0003166194.tif 000016